(57)【要約】      （修正有）【課題】内袋を外容器内側に剥離自在に備えた二重容器の内袋内に第二剤を確実に注入できる二重容器用注入容器を提供すること。【解決手段】外容器内面の剥離可能な内袋内に第一剤を収納した二重容器で、二重容器に注入して内袋内に第二剤を混合させる二重容器用注入容器において、注入容器の口部に、二重容器の口部に挿入可能で、かつ第二剤の注出口が開口した蓋部を備え、蓋部に注出口に連通した延長筒体を該注入容器の中心軸に対して傾斜させ、更に延長筒体の外周面に長手方向に沿った突片を設けて注入容器を構成した。これにより、二重容器口部に注入容器の蓋部を挿入すると、延長筒体が傾斜していることから内袋の内面が密着した状態でも内袋を強制的に開かせて、かつ空気を導入し延長筒体の先方に空間を形成することができ、延長筒体で形成された空間により、密着した内袋に止められることなく注入容器から第二剤を容易、かつ確実に注入できる。【選択図】図１
2006123975.tif 000002
【特許請求の範囲】
【請求項１】
内袋を外容器の内面に剥離可能に備え、該内袋内に第一剤を収納した二重容器であり、該二重容器の口部より前記内袋内の第一剤に第二剤を注入させる注入容器において、
注入容器の口部に、二重容器の口部内側に挿入が可能で、かつ頂壁に第二剤を注出させる注出口が開口された蓋部を備え、
該蓋部に、前記注出口に連通した延長筒体を注入容器の中心軸に対して傾斜させて設け、更に延長筒体の外周面に該延長筒体の長手方向に沿った突片を設けたことを特徴とする二重容器用注入容器。
【請求項２】
内袋を外容器の内面に剥離可能に備え、該内袋内に第一剤を収納した二重容器であり、該二重容器の口部より注入して前記内袋内の第一剤に第二剤を混合させる二重容器用注入容器において、
注入容器の口部に、二重容器の口部内側に挿入が可能で、かつ第二剤を注出させる注出口が開口された蓋部を備え、
該蓋部に、注出口に連通した延長筒体を該注入容器の中心軸方向に設け、かつ該延長筒体の先端を側方に屈曲させ、更に該延長筒体の外周面に該延長筒体の長手方向に沿った突片を設けたことを特徴とする二重容器用注入容器。
【請求項３】
前記蓋部内側に注入容器の口部に向けた切刃部を備え、該蓋部を口部にねじ込むと、予め密閉された口部を切刃部が切り開き開口させる請求項１または２に記載の二重容器用注入容器。
【発明の詳細な説明】
【技術分野】
【０００１】
本発明は、第一剤と第二剤からなる混合液の第一剤を予め二重容器内に収納し、その二重容器に第二剤を口部より注入する二重容器用注入容器に関する。
【背景技術】
【０００２】
毛染め剤など空気に触れると変質しやすい性質を有する液剤の場合には、液剤を第一剤と第二剤とに分けて保管し、それらを混合して所定の効能が生ずるようにした混合タイプのものが知られている。
【０００３】
二重容器は外容器内に内袋を外容器から剥離可能に設け、内袋内に液剤を収納することにより使用中も液剤を空気から遮断して保管できる機能を有している。この二重容器は外容器を押圧したときに一方向弁を介して内袋との間に空気を取り入れ、その圧力で液剤を注出させたり、口部に設けた吸い上げポンプで液剤を内袋から取り出すようにしている。
【０００４】
このような二重容器で混合タイプの液剤を用いる場合としては、例えば混合液の第一剤を予め二重容器の内袋に収納させておき、第二剤を収納した注入容器の先端の蓋部を二重容器の口部内に挿入し、蓋部に設けられた注出口より第二剤を二重容器内に注入し、第一剤と第二剤とを内袋内で混合させることがある。
【特許文献１】特開２００１−１０６２６３号公報
【発明の開示】
【発明が解決しようとする課題】
【０００５】
しかしながら注入容器の蓋部を二重容器の口部に挿入した際二重容器の内袋が注出口を塞いでいると、注出口から注出された第二剤が内袋の内側に付着し二重容器の口部周辺に第二剤が貯留されてしまうことがある。
【０００６】
このことは第二剤がクリーム状で高い粘性を有する場合などでは特に顕著で、口部周辺に貯留したまま第二剤が第一剤内に落下しなくなる。また注入容器を二重容器の口部から引き抜いた際、注入容器の蓋部外周に付着したまま第二剤が注入容器とともに引き出されたり、注入すべき第二剤が注出口と二重容器の口部の隙間から逆流し口部の外に漏出してしまうことがあった。
【０００７】
本発明は、内袋を外容器内側に剥離自在に備えた二重容器の内袋内に第二剤を確実に注入できる二重容器用注入容器を提供することを目的とする。
【課題を解決するための手段】
【０００８】
本発明は上記課題を解決するため、次のように二重容器用注入容器を構成した。
【０００９】
１、内袋を外容器の内面に剥離可能に備え、内袋内に第一剤を収納した二重容器であり、二重容器の口部より注入して内袋内の第一剤に第二剤を混合させる注入容器において、注入容器の口部に、二重容器の口部内側に挿入が可能で、かつ頂壁に第二剤を注出させる注出口が開口された蓋部を備え、該蓋部に、注出口に連通した延長筒体を該注入容器の中心軸に対して傾斜させて設け、更に延長筒体の外周面に該延長筒体の長手方向に沿った突片を設けて二重容器用注入容器を構成した。
【００１０】
２、内袋を外容器の内面に剥離可能に備え、内袋内に第一剤を収納した二重容器であり、二重容器の口部より注入して内袋内の第一剤に第二剤を混合させる注入容器において、注入容器の口部に、二重容器の口部内側に挿入が可能で、かつ第二剤を注出させる注出口が開口された蓋部を備え、該蓋部に、注出口に連通した延長筒体を注入容器の中心軸方向に設け、かつ延長筒体の先端を側方に屈曲させ、更に延長筒体の外周面に延長筒体の長手方向に沿った突片を設けて二重容器用注入容器を構成した。
【００１１】
３、蓋部内側に注入容器の口部に向けた切刃部を備え、蓋部を口部にねじ込むと、予め密閉された口部を切刃部が切り開き、注出口が開口されることとした。
【発明の効果】
【００１２】
本発明の注入容器によれば、二重容器の口部内に注入容器の蓋部を挿入すると、延長筒体が注入容器の中心軸に対して傾斜していることから内袋の内面が密着した閉じた状態でも内袋を強制的に開かせて、延長筒体の先方に空間を形成することができる。更に蓋部を口部に挿入した状態で注入容器を二重容器に対して回転させると、延長筒体の先端が二重容器の口部内部で大きく円を描くように回動し、より大きく内袋を開かせることができる。
【００１３】
また、延長筒体の外周面にリブ状の突片が設けられていることから、延長筒体の外周面と内袋との間に空隙が形成され、その空隙を空気が流通することから内袋をより容易に押し開かせることができる。
【００１４】
これにより延長筒体の先方に空間が形成され、密着した内袋に止められることなく注入容器から二重容器内に第二剤を容易、かつ確実に注入できる。
【００１５】
更に延長筒体の先端が屈曲していると、延長筒体を挿入した際その屈曲した先端により内袋を押し開かせることができ、また回転させる等により上記と同様の効果が得られる。
【００１６】
蓋部内側に切刃部を設けたので、蓋部を口部にねじ込むことにより口部を切り開くことができ、使用直前まで第二剤を密封しておき、かつ使用する時には容易に開封して注出できる。
【発明を実施するための最良の形態】
【００１７】
図４に注入容器２の全体を示す。
【００１８】
注入容器２は容器本体４と蓋部３等からなり、容器本体４の内部に第二剤が収納されている。第二剤は二重容器３０（図１参照）に収納されている第一剤に混合する液剤であり、第一剤と第二剤とを混合した混合液は例えば毛染めなど所定の効能を生じる。
【００１９】
二重容器３０は、押圧変形可能な外容器３２の内側面に内袋３４を外容器３２から剥離可能に備え、内袋３４から内容物が流出されるとそれに伴って内袋３４の容積が縮小する容器である。
【００２０】
内袋３４には予め第一剤のみが収納してあり、第一剤に第二剤を注入して両者を混合すると、例えば毛染め剤としての効能を発揮する。尚第一剤は特に空気から遮断させる必要がない場合が多く、その場合には第一剤のみを収納した内袋３４は外容器３２の内面に沿った状態でよく、第二剤と混合したのち内袋３４内から空気を押し出すようにする。
【００２１】
二重容器３０は、口部３１にポンプ機構を組み付けても、内部に連通した注出孔を櫛歯に有する櫛体（いずれも図示せず）などを取り付けてもよく、また外容器３２と内袋３４の間に形成される空間も外気と連通していても、空間に通ずる開口孔に弁機能（いずれも図示せず）を備えた構造でもよい。
【００２２】
注入容器２の蓋部３は、図２に示すように内側面にねじ部９を有し、頂壁に延長筒体６が形成してある。延長筒体６は、図３に示すように容器本体４の中心軸に対して斜め上方に延びる円筒体で、筒体内部が頂壁１０に形成された注出口１１に連通している。更に延長筒体６の外周面には、延長筒体６の長手方向に沿って延びる突片８が周方向に四箇所均等に設けてある。
【００２３】
容器本体４の口部５には膜体７が設けてあり、口部５は膜体７によって密閉され、第二剤が容器本体４内に密封されている。蓋部３は頂壁１０の内側に先端を斜めに切り落とした円筒状の切れ刃１２が設けてあり、蓋部３を容器本体４の口部５にねじ込むと切れ刃１２が膜体７を口部５の内周に沿って切り開く。
【００２４】
蓋部３の下端には、帯状の切取片１６が周状に蓋部３の下端の切断線１７（図３、図４参照）から切り取り可能に取り付けてある。切取片１６が蓋部３に取り付けられていると切取片１６が容器本体４の肩部１５に当接し、切れ刃１２が膜体７に達しない口部５の途中位置までしか蓋部５をねじ込むことができない。そして切取片１６を蓋部３から取り外すと、蓋部３を口部５の終端までねじ込み、切れ刃１２で膜体７を切り開いて口部５を開口させることができる。
【００２５】
次に、二重容器３０の作用について説明する。
【００２６】
二重容器３０に第二剤を注入するときは注入容器２の切取片１６を蓋部３から取り除き、蓋部３を容器本体４の口部５にねじ込み、固定する。すると膜体７が切り開かれて口部５が開口し容器本体４の内部と延長筒体６とが連通する。次に注入容器２の蓋部３を延長筒体６から二重容器３０の口部３１に挿入する。
【００２７】
挿入した状態を図１に示す。延長筒体６は容器本体４の中心軸に対して傾斜していることから蓋部３を口部３１に挿入すると、内袋３４が横方向に大きく押し広げられる。更に延長筒体６の外周面に設けられた突片８が延長筒体６の外周面と内袋３４の間に空隙を形成して内袋３４内に空気を導入させるので、内袋４の内面同士をより大きく引き離す。したがって延長筒体６の先方に空間が形成でき、注入容器２の側方を押圧すると内袋３４の内面に留まることなく第二剤を内袋３４内にスムースに注入できる。
【００２８】
第二剤を内袋３４内に注入したなら、注入容器２を口部３１から引き抜き、第一剤と第二剤とを混合し、口部３１にポンプ機構、あるいは櫛体など（いずれも図示せず。）を取り付けて使用する。第二剤が第一剤の中に直接投入されることから、両者を容易に混合でき、また蓋部３に第二剤が付着しないので注入容器２を二重容器３０の口部３１から引き抜いた際も第二剤が口部３１から引き出されることがない。
【００２９】
図５、図６に二重容器用注入容器の他の例を示す。これは蓋部２３に設けた延長筒体２６を容器本体４の中心軸方向に突出させ、その延長筒体２６の先端のみを側方に向けて屈曲させた。このように延長筒体２６を形成しても蓋部２６を二重容器３０の口部３１に挿入した際、延長筒体２６の屈曲部分が内袋３４を押し広げ、また屈曲部分と逆側の外周面に設けられた突片２８が延長筒体２６と内袋３４との間に空隙を形成するので、空隙を通して空気が内袋３４内に導入され、注出口２６の先方に空間が形成されて注入容器２から内袋３４内に第二剤を円滑に注入できる。
【図面の簡単な説明】
【００３０】
【図１】本発明にかかる二重容器用注入容器の一実施形態を示した部分断面図である。
【図２】二重容器用注入容器を示した断面図である。
【図３】二重容器用注入容器を示した部分側面図である。
【図４】二重容器用注入容器を示した正面図である。
【図５】二重容器用注入容器の他の例を示した部分断面図である。
【図６】二重容器用注入容器の他の例を示した正面図である。
【符号の説明】
【００３１】
２    注入容器
３、２３    蓋部
４    容器本体
５    口部
６、２６    延長筒体
７    膜体
８、２８    突片
９    ねじ部
１０  頂壁
１１  注出口
１２  切れ刃
１５  肩部
１６  切取片
１７  切断線
３０  二重容器
３１  口部
３２  外容器
３４  内袋
【図１】
2006123975.tif 000003
【図２】
2006123975.tif 000004
【図３】
2006123975.tif 000005
【図４】
2006123975.tif 000006
【図５】
2006123975.tif 000007
【図６】
2006123975.tif 000008